(57)【要約】      （修正有）【課題】製造時に中間基材と表面基材とを貼り合わせる際に、中間基材と表面基材との間隙に混入した空気が抜けやすく、表面基材にシワが発生することを防止することができる多層ラベルを提供する。【解決手段】接着剤が塗布された複数の点状塗布領域６１と、接着剤が塗布されていない非塗布領域６２とからなり、点状塗布領域６１が隣接する点状塗布領域６１と間隔をおいて配置されている接着層６によって、中間基材３と表面基材とを貼り合わせるように構成することにより、製造時に中間基材３と表面基材を貼り合わせる際に、中間基材３と表面基材との間隙に余分な空気が混入した場合にも、非塗布領域６２を通って混入した空気が抜けていく。【選択図】図１
2008151881.tif 000002
【特許請求の範囲】
【請求項１】
裏面に粘着剤層が形成され、当該粘着剤層によって被貼付物に貼付される中間基材と、接着層によって前記中間基材の表面に貼り合わされた表面基材とを有する多層ラベルであって、
前記接着層は、接着剤が塗布された複数の点状塗布領域と、前記接着剤が塗布されていない非塗布領域とで構成され、
前記点状塗布領域は、隣接する前記点状塗布領域と間隔をおいて配置されていることを特徴とする多層ラベル。
【請求項２】
前記表面基材の裏面には、剥離加工が施されていることを特徴とする請求項１記載の多層ラベル。
【発明の詳細な説明】
【技術分野】
【０００１】
本発明は、複数の基材が積層された多層ラベルに関し、特に荷物等の被貼付物に貼付される中間基材と当該中間基材に接着された表面基材とを備えた多層ラベルに関する。
【背景技術】
【０００２】
近年、小荷物配達（例えば宅配便）用の伝票として、裏面に粘着剤層が形成され、当該粘着剤層によって荷物貼付される中間基材と、剥離すると接着力がなくなる疑似接着層によって中間基材に貼り合わされた表面基材とからなる多層ラベルが用いられるようになってきている。このような多層ラベルは、表面基材の全部もしくは一部が一般的に受領票として用いられ、荷物の受け渡し時に、荷物に貼付されている中間基材から表面基材（受領票）を剥離する。
【０００３】
表面基材（受領票）を中間基材から剥離する際に、疑似接着層の接着力が強すぎる場合には、剥離した表面基材（受領票）に剥離カールが生じてしまい、剥離した表面基材（受領票）が束ねにくくなり、取り扱いが面倒になってしまう。そこで、疑似接着層の一部を被覆することにより接着力を適宜設定するで、剥離カールを防止することが提案されている（例えば、特許文献１参照）。
【０００４】
しかしながら、従来技術では、全面に疑似接着層が形成されているため、製造時に中間基材と表面基材とを貼り合わせる際に、中間基材と表面基材との間隙に混入した空気が抜けにくく、表面基材にシワが発生しやすいという問題点があった。
【０００５】
【特許文献１】特開２００３−３４１２５６号公報
【発明の開示】
【発明が解決しようとする課題】
【０００６】
本発明は斯かる問題点に鑑みてなされたものであり、その目的とするところは、製造時に中間基材と表面基材とを貼り合わせる際に、中間基材と表面基材との間隙に混入した空気が抜けやすく、表面基材にシワが発生することを防止することができる多層ラベルを提供する点にある。
【課題を解決するための手段】
【０００７】
本発明は上記課題を解決すべく、以下に掲げる構成とした。
請求項１記載の発明の要旨は、裏面に粘着剤層が形成され、当該粘着剤層によって被貼付物に貼付される中間基材と、接着層によって前記中間基材の表面に貼り合わされた表面基材とを有する多層ラベルであって、前記接着層は、接着剤が塗布された複数の点状塗布領域と、前記接着剤が塗布されていない非塗布領域とで構成され、前記点状塗布領域は、隣接する前記点状塗布領域と間隔をおいて配置されていることを特徴とする多層ラベルに存する。
また請求項２記載の発明の要旨は、前記表面基材の裏面には、剥離加工が施されていることを特徴とする請求項１記載の多層ラベルに存する。
【発明の効果】
【０００８】
本発明の多層ラベルは、中間基材と表面基材とを貼り合わせる接着層を、接着剤が塗布された複数の点状塗布領域と、接着剤が塗布されていない非塗布領域とで構成し、点状塗布領域を隣接する点状塗布領域と間隔をおいて配置することにより、製造時に中間基材と表面基材を貼り合わせる際に、中間基材と表面基材との間隙に余分な空気が混入した場合にも、非塗布領域を通って混入した空気が抜けていくため、表面基材にシワが発生することを防止することができ、さらに、１つの点状塗布領域による中間基材と表面基材との接着面積が小領域となるため、表面基材を中間基材から剥離する際の剥離カールの発生が防止することができるという効果を奏する。
【０００９】
さらに、本発明の多層ラベルは、表面基材の裏面に剥離加工を施すように構成することにより、表面基材を中間基材から容易に剥離することができるという効果を奏する。
【発明を実施するための最良の形態】
【００１０】
以下、本発明の実施の形態を図面に基づいて詳細に説明する。
【００１１】
図１は、本発明に係る多層ラベルの実施の形態である配送伝票の構成を示す図であり、（ａ）は、平面図であり、（ｂ）は、（ａ）に示すＡ−Ａ’断面図である。図２は、図１に示す配送伝票において表面基材が貼り合わされる前の中間基材および剥離基材の構成を示す図であり、（ａ）は、平面図であり、（ｂ）は、（ａ）に示すＢ−Ｂ’断面図である。図３は、図１に示す配送伝票における中間基材と表面基材との貼り合わせ動作を説明するための説明図である。図４は、図１に示す配送伝票において作業票が切り離された配送票および受領票が被貼付物に貼付された状態を示す図であり、（ａ）は、平面図であり、（ｂ）は、（ａ）に示すＣ−Ｃ’断面図である。図５は、図１に示す配送伝票において作業票が切り離された被貼付物に貼付され受領票が剥離された状態を示す図であり、（ａ）は、平面図であり、（ｂ）は、（ａ）に示すＤ−Ｄ’断面図である。
【００１２】
本実施の形態の多層ラベルは、配送する荷物に貼付される配送伝票１であり、図１を参照すると、剥離基材２と、中間基材３と、表面基材４とで構成され、中間基材３の裏面に塗布された粘着剤層５によって中間基材３が剥離基材２に仮着されていると共に、中間基材３の表面と表面基材４の裏面とが接着層６によって貼り合わされている。なお、図１（ｂ）に示す断面図においては、説明のために厚み方向を拡大して記載している。
【００１３】
剥離基材２の少なくとも一方面には、シリコーン加工等の剥離加工が施されており、剥離加工が施された面に、中間基材３の裏面に塗布された粘着剤層５が仮着されている。なお、剥離基材２には、紙基材やフィルム基材等の任意基材を用いることができる。
【００１４】
中間基材３には、紙基材やフィルム基材等の任意基材を用いることができ、裏面には、粘着剤層５によって剥離基材２が仮着されていると共に、表面には、接着層６によって表面基材４が接着されている。
【００１５】
粘着剤層５としては、剥離基材２を剥離しても接着力が残存する、天然ゴム系、合成ゴム系、シリコーン系等の粘着剤が用いられ、当該粘着剤が中間基材３裏面の全面に塗布されている。
【００１６】
接着層６に用いられる接着剤は、貼り合わせる時には流動性のある液体であり、被着体（中間基材３、表面基材４）に濡れてなじんだ後、加熱や化学反応により固体に変化して界面で強固に結びつき、剥離に抵抗する力を発揮するものであり、例えば、でんぷんのり・カゼイン・にかわ・ゴム等や、フェノール樹脂・ビニル樹脂・エポキシ樹脂等の合成樹脂を用いることができ、中間基材３表面に部分的に塗布されている。図２を参照すると、接着層６は、接着剤が塗布された複数の点状塗布領域６１と、接着剤が塗布されてない非塗布領域６２とで構成され、点状塗布領域６１は、隣接する点状塗布領域６１と間隔をおいて配置されており、非塗布領域６２は、点状塗布領域６１によって全周が囲まれた領域が存在せず、全てが端部まで繋がっている。なお、図２では、点状塗布領域６１の形状を円形としたが、点状塗布領域６１の形状は、任意の形状に設定することができる。また、図２（ｂ）に示す断面図においては、説明のために厚み方向を拡大して記載している。
【００１７】
接着層６による中間基材３と表面基材４との貼り合わせは、図３に示すように、中間基材３を矢印で示す方向に搬送しながら、接着層６が形成された中間基材３の表面に、表面基材４を繰り出すことによって行われる。中間基材３と表面基材４とを貼り合わる際に、中間基材３と表面基材４との間隙に余分な空気が混入しても、接着層６を接着剤が塗布された複数の点状塗布領域６１と、接着剤が塗布されてない非塗布領域６２とで構成し、点状塗布領域６１を隣接する点状塗布領域６１と間隔をおいて配置することにより、余分な空気は、非塗布領域６２を通って中間基材３と表面基材４との間隙から抜けていくことになり、表面基材４にシワが発生することを防止することができる。なお、本実施の形態では、中間基材３表面に接着層６を塗布して表面基材４を貼り合わせるようにしたが、表面基材４裏面に接着層６を塗布して中間基材３を貼り合わせるようにしても良い。
【００１８】
表面基材４は、紙基材やフィルム基材等の任意基材を用いることができ、表面基材４の表面は、各種情報の表示部として用いられ、切り離し加工線７１によって配達票４１と受領票４２とに分割されていると共に、切り離し加工線７２によって受領票４２と作業票４３とに分割されている。なお、切り離し加工線７１、７２は、表面基材４に対して、等間隔、周期的もしくはランダムに、厚みの全部もしくは一部に施されているミシン目等の切り込みであり、切り離し加工線７１、７２を挟んだそれぞれの部位に対してそれぞれ異なる方向に力が加わると簡単に破断されるようになっている。また、受領票４２と作業票４３との間に切り離し加工線７２は、中間基材３にも到達するように形成されていると共に、剥離基材２には、切り離し加工線７２から若干ずれた位置に剥離基材２を分割するスリット７３が形成されている。
【００１９】
作業票４３は、表面に荷物の配送に係る各種情報（届け先住所、依頼主等）を印字や記入する欄が設けられており、梱包作業時等に切り離して使用される。切り離し加工線７２を切断することで、接着層６によって接着された受領票４２および中間基材３を、粘着剤層５によって剥離基材２に仮着された状態で切り離すことができるようになっている。
【００２０】
作業票４３が切り離された配達票４１および受領票４２は、剥離基材２を剥離させて中間基材３裏面に塗布されている粘着剤層５を露出させた後、図４に示すように、粘着剤層５によって、配達票４１および受領票４２が中間基材３に接着された状態で荷物等の被貼付物８に貼付される。なお、図４（ｂ）に示す断面図においては、説明のために厚み方向を拡大して記載している。
【００２１】
配達票４１は、荷物の配送に用いられる伝票であり、表面に荷物の配送に係る各種情報（問い合わせ番号、出荷日、届け先住所、依頼主等）を印字や記入する欄が設けられており、荷物に貼付された状態、すなわち中間基材３に接着されたままの状態で用いられる。
【００２２】
受領票４２は、荷物を届けたことを証明するための伝票であり、表面に荷物の配送に係る各種情報（問い合わせ番号、出荷日、届け先住所、依頼主等）を印字や記入する欄と共に、荷物を届けたことを証明するための受領印欄が設けられていると共に、裏面には、シリコーン加工等の剥離加工４４が施されている。従って、受領票４２の裏面は、接着層６から剥離させることができるようになっており、荷物を届け先に届け、受領印の押印後に、受領票４２の側縁部に形成された把持部７４から受領票４２をめくり上げ、切り離し加工線７１を切断しながら中間基材３から受領票４２を剥離することで、荷物に貼付された状態の配達票４１から分離される。
【００２３】
また、図５を参照すると、中間基材３表面の受領票４２に対向する箇所には、受領票４２を中間基材３から剥離させて取り除いた際に視認することができる案内表記３１が印字されている。なお、接着層６として透明性を有する接着剤を用いると、案内表記３１の視認性を良好に保つことができる。
【００２４】
なお、本実施の形態では、接着層６によって中間基材３の表面と表面基材４の裏面とを接着し、表面基材４の受領票４２の裏面に施された剥離加工４４によって受領票４２を接着層６から剥離することができるように構成したが、接着層６に用いる接着剤として、剥離性を有すると共に剥離すると接着力がなくなる熱可塑樹脂や圧着糊等の疑似接着剤を用いるようにしても良く、この場合には、受領票４２の裏面に剥離加工４４を施すことなく、受領票４２を接着層６から剥離することができる。
【００２５】
以上説明したように、本実施の形態によれば、接着剤が塗布された複数の点状塗布領域６１と、接着剤が塗布されていない非塗布領域６２とからなり、点状塗布領域６１が隣接する点状塗布領域６１と間隔をおいて配置されている接着層６によって、中間基材３と表面基材４とを貼り合わせるように構成することにより、製造時に中間基材３と表面基材４を貼り合わせる際に、中間基材３と表面基材４との間隙に余分な空気が混入した場合にも、非塗布領域６２を通って混入した空気が抜けていくため、表面基材４にシワが発生することを防止することができ、さらに、１つの点状塗布領域６１による中間基材３と表面基材４との接着面積が小領域となるため、表面基材４を中間基材３から剥離する際に発生する剥離カールを防止することができるという効果を奏する。
【００２６】
さらに、本実施の形態によれば、表面基材４の裏面に剥離加工４４を施すように構成することにより、表面基材４を中間基材３から容易に剥離することができるという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係る多層ラベルの実施の形態である配送伝票の構成を示す図であり、（ａ）は、平面図であり、（ｂ）は、（ａ）に示すＡ−Ａ’断面図である。
【図２】図１に示す配送伝票において表面基材が貼り合わされる前の中間基材および剥離基材の構成を示す図であり、（ａ）は、平面図であり、（ｂ）は、（ａ）に示すＢ−Ｂ’断面図である。
【図３】図１に示す配送伝票における中間基材と表面基材との貼り合わせ動作を説明するための説明図である。
【図４】図１に示す配送伝票において作業票が切り離された配送票および受領票が被貼付物に貼付された状態を示す図であり、（ａ）は、平面図であり、（ｂ）は、（ａ）に示すＣ−Ｃ’断面図である。
【図５】図４に示す配送票および受領票から受領票が剥離された状態を示す図であり、（ａ）は、平面図であり、（ｂ）は、（ａ）に示すＤ−Ｄ’断面図である。
【符号の説明】
【００２９】
１  配送伝票
２  剥離基材
３  中間基材
４  表面基材
５  粘着剤層
６  接着層
８  被貼付物
３１  案内表記
４１  配達票
４２  受領票
４３  作業票
４４  剥離加工
６１  点状塗布領域
６２  非塗布領域
７１、７２  切り離し加工線
７３  スリット
７４  把持部
【図１】
2008151881.tif 000003
【図２】
2008151881.tif 000004
【図３】
2008151881.tif 000005
【図４】
2008151881.tif 000006
【図５】
2008151881.tif 000007